【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
患部に宛がう身体用副木において、水分を含むと硬化する水分硬化性の硬化材が袋状の内皮に収容され、硬化材が収容された内皮がガスバリア性の外袋内に密封包装されて外気から遮断されたことを特徴とする身体用副木。
【請求項２】
請求項１記載の身体用副木において、硬化材が帯状或はテープ状の連続板であり、内皮が硬化材を収容可能な帯状或はテープ状の連続袋であり、外袋は硬化材が収容された内皮を収容可能な帯状或はテープ状の連続袋であることを特徴とする身体用副木。
【請求項３】
請求項２記載の身体用副木において、硬化材が任意長に区分され、内皮が硬化材の長さごとに区分されて硬化材を連続包装し、外袋は前記内袋をその区分ごとに区分して密封連続包装されたことを特徴とする身体用副木。
【請求項４】
請求項１乃至請求項３のいずれかに記載の身体用副木において、外袋の内面が外部から加熱すると熱溶着する熱溶着用処理が施されていることを特徴とする身体用副木。
【請求項５】
請求項１乃至請求項４のいずれかに記載の身体用副木において、硬化材が硬化後に収縮しない水分硬化性であることを特徴とする身体用副木。
【請求項６】
請求項２乃至請求項５のいずれかに記載の身体用副木をロール状に巻かれて又はジグザグ状に折り重ねられてケース内に収容され、ケースに身体用副木を引き出す開口部が形成され、開口部は身体用副木の引き出し時に開口でき、引き出し後に密閉できる開口部密封機構を備えたことを特徴とするケース入り身体用副木。
【請求項７】
請求項２乃至請求項５のいずれかに記載の身体用副木をロール状に巻かれて又はジグザグ状に折り重ねられてケース内に収容され、ケースに身体用副木を引き出す開口部が形成され、開口部に、開口部から引き出して切断した外袋の残部の切断開口部を密閉する外袋密封機構を備えたことを特徴とするケース入り身体用副木。
【手続補正２】
【補正対象書類名】明細書
【補正対象項目名】全文
【補正方法】変更
【補正の内容】
【発明の詳細な説明】
【発明の名称】身体用副木及びケース入り身体用副木
【技術分野】
【０００１】
本発明は骨にひびが入ったとき、骨折したとき、捻挫したとき等に、患部に副わせて患部を固定することができる身体用副木に関し、従前のギブスの代用としても使用できる身体用副木に関するものである。また、その身体用副木をケースに収容して使用時に必要長だけ引き出して使用できるようにしたケース入り身体用副木に関するものである。
【背景技術】
【０００２】
骨にひびが入ったとき、骨折をしたとき、捻挫をしたとき、関節を怪我したとき等はそれら部位（患部）を固定する必要がある。その固定にはギブスや副木（身体用副木：「患部用副木」ともいわれている。）がある。この種の副木として従来は図７に示すようなものがあった。この身体用副木は抗菌剤が添加された抗菌皮Ａと患部を固定するための硬化皮Ｂと接着手段を有する外皮Ｃが積層されているものである。これらは別々に形成されて両面テープＤで貼り合せてあり、それがガスバリア性のある袋に気密包装されて外気中の水分が浸入しないようにしてある（特許文献１）。
【０００３】
【特許文献１】特開２００４−２０１９００
【発明の開示】
【発明が解決しようとする課題】
【０００４】
従来の身体用副木は別々に製造された抗菌皮Ａ、硬化皮Ｂ、外皮Ｃを両面テープＤで貼り合わせて３層構造であるためそれらの貼り合せが面倒であり、連続製造できないため生産性が悪く、コスト高になり易い。
【課題を解決するための手段】
【０００５】
本件出願に係る発明は身体用副木を連続製造でき、生産性に優れ、必要長ずつ切断して使用でき、患部の形状になじみ易く、使用後の気密性に優れた副木と、ケース入り副木を提供するものである。
【０００６】
本件出願の身体用副木は請求項１記載のように、患部に宛がう身体用副木において、水分を含むと硬化する水分硬化性の硬化材が袋状の内皮に収容され、硬化材が収容された内皮がガスバリア性の外袋内に密封包装されて外気から遮断したものである。この場合、請求項２記載のように前記硬化材を帯状或はテープ状の連続板とし、内皮は硬化材を収容可能な帯状或はテープ状の連続袋とし、外袋は内皮を収容可能な帯状或はテープ状の連続袋とすることができる。請求項３記載のように硬化材を任意長に区分し、内皮は硬化材の長さごとに区分して硬化材を連続包装し、外袋は前記内皮をその区分ごとに区分して密封連続包装することもできる。請求項４記載のように、外袋の内面に外部から加熱すると熱溶着する熱溶着用処理を施しておくこともできる。請求項５記載のように、硬化材を硬化後に収縮しない水分硬化性とすることもできる。
【０００７】
本件出願の身体用副木は請求項６記載のように、前記身体用副木をロール状に巻いて又はジグザグ状に折り重ねてケース内に収容し、ケースに身体用副木を引き出す開口部を形成し、開口部は身体用副木の引き出し時に開口でき、引き出し後に密閉できる開口部密封機構を備えたものとすることができる。また、この場合、請求項７記載のように、開口部に、開口部から引き出して切断した外袋の残部の切断開口部を密閉する外袋密封機構を設けることもできる。
【発明の効果】
【０００８】
本件出願の請求項１記載の身体用副木は次のような効果がある。
（１）硬化材を被覆する内皮が袋状であるため、二枚の長尺な内皮の間に一枚の長尺な硬化材を挟んで、それら三者を同期させて引き出しながら、長尺な内皮の幅方向両端を縫合や接着等により袋を成形すれば、その袋状の内皮に硬化材が収容された身体用副木を連続的に製造することができ製造が容易であり、生産性が向上し、製造コストが低減する。
（２）内皮に被覆された硬化材が空気を通さない材質製の外袋内に包装されているため開封前に硬化材が硬化することがない。
（３）内皮が抗菌剤を含む場合は耐菌性がある。
（４）硬化材が水分を含むと硬化する水分硬化性であるため、患部へ宛がった後に短時間（数分程度）で自動的に硬化し、患部を迅速に固定することができる。
【０００９】
本件出願の請求項２記載の身体用副木は、硬化材が帯状或はテープ状の連続板であり、内皮が硬化材を収容可能な帯状或はテープ状の長い連続袋であり、外袋が内皮を収容可能な帯状或はテープ状の長い連続袋であるため、それらを患部の大きさや長さに適したサイズに切断して使用することができる。
【００１０】
本件出願の請求項３記載の身体用副木は、硬化材が任意長に区分され、その硬化材を収容する内皮が硬化材の長さごとに区分して連続包装され、その内皮が収容された外袋が内皮の長さごとに区分して連続密封包装されているので次のような効果がある。
（１）硬化材を内皮及び外袋の区分箇所から切断分離して使用することができる。
（２）区分箇所から切断分離しても残りの分は開封されず空気中の水分を吸収しないため、硬化材が硬くなることがなく、その後の使用に支障がない。
【００１１】
本件出願の請求項４記載の身体用副木は、外袋の内面に熱溶着加工が施されているので、必要長に切断して使用した残部の外袋の開口部を外袋の外部から加熱するだけで外袋を密封でき、外袋内の未使用の身体用副木の硬化材が空気中の水分を吸収して硬化するのを防止することができる。
【００１２】
本件出願の請求項５記載の身体用副木は、硬化材が硬化後に収縮しない水分硬化性であるため、硬化材が硬化後も患部から遊離せず、患部の固定が安定する。
【００１３】
本件出願の請求項６記載のケース入り身体用副木は、身体用副木をロール状に巻いて、又はジグザグ状に折り重ねてケース内に収容してあるので身体用副木の整理、保管、持ち運び、引き出し等が容易になる。また、ケースに身体用副木を引き出す開口部を形成し、開口部に引き出し後に密閉できる開口部密封機構を備えているので、開口部密封機構で開口部を密封することによりケース内に残った未使用の身体用副木が空気中の水分を吸って硬くなるのを防止することができる。
【００１４】
本件出願の請求項７記載のケース入り身体用副木は、身体用副木をロール状に巻いて又はジグザグ状に折り重ねて収容したケースの開口部に、開口部から引き出して切断した外袋の残部の切断開口部を密閉する外袋密封機構を設けたので、外袋密封機構でケース内に残った未使用の身体用副木の外袋を密封して、ケース内に残った未使用の身体用副木が空気中の水分を吸って硬くなるのを防止することができる。
【発明を実施するための最良の形態】
【００１５】
（実施形態１）
本発明の身体用副木の第１の実施形態を図１、図２に基づいて説明する。この実施形態の身体用副木は水分を含むと硬化する帯状の長い硬化材１が長い袋状の内皮２内に収容され、硬化材１が収容された内皮２がガスバリア性の長い外袋３内に密封包装されて外気から遮断されている。
【００１６】
前記硬化材１の幅、長さ等のサイズは肱用、膝用、足首用、腰用など用途に合わせて任意幅、任意長とすることができ、一例として幅数cm〜十数cm程度、長さ十数cm〜数m程度にしてある。また、硬化材１はその厚さ方向に通気孔４を貫通して通気性を向上させて、硬化材1を宛がった患部が痒みや熱を帯びにくくしてある。硬化材１の材料としては水分硬化性のもの、例えば、ポリウレタンプレポリマーなどの水分（湿気）硬化型ポリウレタン樹脂を用いることができる。より好ましくは、一旦硬化した後は収縮しない水分硬化性のものがよい。前記通気孔４は場合によっては形成しなくてもよい。
【００１７】
前記内皮２は身体に宛がうものであり、硬化材１を収容できるように袋状にしてある。内皮２は予め長尺に製造されている袋に硬化材１を収容することができるが、長尺の硬化材１を連続製造するときに硬化材１の上下に二枚の内皮２を配置してその幅方向両端を接着或は縫い合せることにより袋状に成形して連続収容することもできる。内皮２には抗菌剤が含まれた不織布とか脱脂綿等の通気性のあるものを用いて空気中の水分が吸収されようにするのがよい。抗菌剤には例えばアルベカシンやジンクオマダイ等を使用することができる。抗菌剤は内皮２の患部接触面（いずれか片面）にのみ含ませることもできる。
【００１８】
前記外袋３は硬化材１が収容された袋状の内皮２を収容包装するものであるため内皮２を包装できる広さの袋にしてあり、しかも、硬化材１が空気中の水分を吸わない（吸湿）しないようにするものであるため空気を通さない材料（ガスバリア性材料）で作られており、前記内皮２を連続密封包装してある。ガスバリア性の材料としては例えばアルミシート、樹脂性シート、積層樹脂シート、紙製とか他の材質製のシートの両面或は片面にアルミ箔を貼付けたり、アルミをコーティングしたもの等を使用することができる。外袋３への収容は予め製袋されている外袋３内へ、硬化材１が収容された袋状の内皮２を収容して包装することもできるが、硬化材１を内皮２内に連続収容するときにその内皮２の上下に２枚のシート状の外袋材料を連続的に配置し（引き出し）、その２枚の外袋材料の幅方向両端部を接着剤で接着して連続包装することもできる。
【００１９】
図１のように連続包装した硬化材１、内皮２、外袋３は所望箇所から切断して使用することができる。切断後に残った身体用副木は硬化材１が空気中の水分を吸収して硬化しないようにするため外袋３の切り口付近を密封する。密封手順の例としては図２（ａ）のように切断して外袋３内に残った硬化材１及びこれを被覆した内皮２の先端部５を図２（ｂ）のように数cm程度切断し、切断により空になった外袋３の先端空部６を開口部密封機構７で挟んで密封する。この場合、先端空部６を数回重ね折りしてから開口部密封機構７で挟んで密封することにより一層気密性が高めることができる。
【００２０】
開口部密封機構７は外袋３を密封できるものであればどのようなものであってもよいが一例として図３に示すものは外袋３よりも幅の広い本体８とその軸方向一端に連結軸９で回動可能に連結された可動体１０を備えている。前記本体８は横板１１から縦板１２が突設されて逆Ｔ字状に形成されており、縦板１２の上端側１３が多少球状に膨れており、可動体１０は下方から上方広がりになる空間部１４が下方開口に形成されている。この密封器具７で外袋３を密閉するには縦板１２の上に外袋３の先端空部６をのせてから、可動体１０を図３の連結軸９を回転軸として矢印方向に回動させて空間部１４を外袋３の先端空部６の上から縦板１２に被せて縦板１２及び外袋３の先端空部６を空間部１４内に圧入することにより外袋３の先端空部６を密封することができる。この開口部密封機構７は樹脂製、金属製、木製といった任意の材質製とすることができ、また、外袋３のサイズに合わせて所望サイズにすることができる。
【００２１】
（実施形態２）
本発明の身体用副木の第２の実施形態を図４に基づいて説明する。この実施形態の身体用副木も水分を含むと硬化する硬化材１が袋状の内皮２内に収容され、硬化材１が収容された内皮２がガスバリア性の外袋３内に密封包装されて外気から遮断されていることにおいて、実施形態１の身体用副木と同じである。異なるのは幅数cm〜十数cm程度の硬化材１を長さ数cm〜数十cm程度の任意長に成形したこと、その硬化材１を一つずつ個別に区分して（仕切って）袋状の内皮２内に収容して連続包装したこと、連続包装した内皮２を個別に区分してガスバリア性の外袋３内に連続密封包装したことである。外袋３の区画部１５は気密に密封されている。
【００２２】
図４の身体用副木は内皮２の区画部と外袋３の区画部１５の夫々にミシン目１６を入れて、そこから外袋３、内皮２、硬化材１を切断分離できるようにしてある。切断構造はミシン目以外であってもよく、例えば内皮２の区画部にはミシン目を入れて切断し易くしておき、外袋３の区画部１５には図４（ｂ）のように切断用切欠き部１７を設けておくこともできる。
【００２３】
（実施形態３）
本発明の身体用副木の第３の実施形態を図５に基づいて説明する。この実施形態は図４に示す区画して連続包装された身体用副木をロール状に巻いてケース２０に収容したものである。ケース２０には開口部２１が形成されており、そこから内部の身体用副木を引き出すことができるようにしてある。
【００２４】
（実施形態４）
本発明の身体用副木の第４の実施形態を図６に基づいて説明する。この実施形態は図４に示す区画して連続包装された身体用副木をジグザグ状に折り重ねてケース２０内に収容したものである。このケース２０にも開口部２１が形成されており、そこから内部の身体用副木を引き出すことができるようにしてある。
【００２５】
（実施形態５）
本発明の身体用副木は、外袋３の先端空部６の密閉に開口部密封機構７を使用するのではなく、熱溶着などで密封できるようにすることもできる。その一例としては外袋３の内面に熱溶着性のフィルムを積層するとか、熱溶着性の樹脂をコーティングしておくなどして、外袋３の先端空部６の両外側をヒーター等の加熱具で挟んで加熱すると、その先端空部６が密封されるようにすることもできる。この場合は、ケース２０の開口部２１付近にヒーター等の熱源が内蔵された加熱式の外袋密封機構を設け、その外袋密封機構で外袋３を外側表裏両面から挟むなどして加熱することにより、外袋３の先端空部（切り口部分）６を密封して、外気の吸気が侵入しないすることができる。
【図面の簡単な説明】
【００２６】
【図１】本発明の身体用副木の一例を示す斜視図。
【図２】（ａ）〜（ｃ）は、本発明の身体用副木を切断した後の密封作業の説明図であり、（ａ）は外袋切断説明図、（ｂ）は外袋内の硬化材及び内皮切断説明図、（ｃ）は開口部密封機構による外袋の密封説明図。
【図３】本発明で使用する開口部密封機構の一例の斜視図。
【図４】（ａ）は本発明の身体用副木を区分して連続包装した実施形態の平面図、（ｂ）は身体用副木を区分して連続包装した外袋の切断用切欠きの平面説明図。
【図５】本発明の身体用副木をロール状に巻いてケース内に収容した状態の説明図。
【図６】本発明の身体用副木をジグザグに折り重ねてケース内に収容した状態の説明図。
【図７】従来の身体用副木の一例の説明図。
【符号の説明】
【００２７】
１  硬化材
２  内皮
３  外袋
４  通気孔
５  内皮の先端部
６  外袋の先端空部
７  開口部密封機構
８  本体
９  連結軸
１０  可動体
１１  横板
１２  縦板
１３  縦板の上端側
１４  空間部
１５  外袋の区画部
１６  ミシン目
１７  切断用切欠き部
２０  ケース
２１  開口部
Ａ  抗菌皮
Ｂ  硬化皮
Ｃ  外皮
Ｄ  両面テープ